(57)【特許請求の範囲】
【請求項１】
左右の側板を有するリール本体と、
前記左右の側板間に回転自在に軸支されたスプールと、
前記スプールの一方の側面と一方の前記側板との間に設けられたドラグディスクと、
前記リール本体の一側の外面に沿って、前後方向に回動可能に取り付けられたドラグレバーと、
前記ドラグレバーの基部外側に設けられた微調節用ノブと、
前記一方の側板に形成された円筒状の支持部と、を備える魚釣用リールであって、
前記ドラグレバーの基部には、前記一方の側板側の面に円筒状のスカート部が形成されているとともに、前記一方の側板と反対側の面に凹部が形成されており、
前記スカート部に前記支持部を内挿するとともに、前記スカート部の内周面が前記支持部の外周面に摺接していて、
前記スカート部と前記支持部との間には環状の弾性部材が介設されており、
前記支持部の中心部には、一方に突出する円筒状の凸部が形成されていて、
前記ドラグレバーは、前記凹部内で、前記ドラグレバーの基部を貫通した前記凸部に、抜け止め部材を介して軸方向での移動が不能に取り付けられていることを特徴とする、魚釣用リール。
【発明の詳細な説明】
【技術分野】
【０００１】
本発明は、スプールを回転自在に支持するリール本体の一側に、スプール回転に付与する制動力を増減調節するドラグレバーを前後方向に回動可能に設けてなる魚釣用リールに関する。
【背景技術】
【０００２】
魚釣用リールにおいて、リール本体の一方の側板に沿って配設されたドラグレバーを備えたものが知られている。
このドラグレバーは、スプール軸の一方の端部に回転可能に設けられたダイヤル形式の微調整用ノブを介して前後方向での回動が可能に締着されている。
【０００３】
このような魚釣用リールは、実用時にスプールフリーまたはドラグ最小設定による釣糸の繰り出し、釣糸の繰り出し・巻き取りの繰り返しによる魚との対応、対象魚の変化等に応じたドラグ力の増減調節を、ドラグレバーを前後方向に回動操作することで行う（例えば、特許文献１参照）。
なお、ドラグレバーの基部には、カム部材が設けられていて、ドラグレバーを前後に回動させると、当該回転運動がカム作用により、スプールの軸方向の移動に変換される。これにより、スプールのドラグディスクに対する圧接力（ドラグ力）が増減されて、スプール回転に付与されるドラグ力が変化する。
【０００４】
また、実用時の状況に応じて微調整用ノブの回転操作を行うことで、ドラグ力の微調節を行うことも可能である。
つまり、微調整用ノブを回転させることで、スプールが軸方向に移動するため、ドラグディスクに対する圧接力（ドラグ力）を調節できる。
【先行技術文献】
【特許文献】
【０００５】
【特許文献１】実公平３−２５５８１号公報
【発明の概要】
【発明が解決しようとする課題】
【０００６】
ところが、微調整用ノブを回転操作して緩めると、ドラグレバーの側板への締め付け力も弱まることでドラグレバーにガタツキが生じ、ドラグレバーの操作性が低下する場合があった。
また微調整用ノブを緩めてスプール軸から取り外すと、ドラグレバーも脱落するため、魚釣用リールのメンテナンスの際には、部品が紛失することのないように、慎重に行う必要があった。
【０００７】
このような観点から、本発明は、微調整用ノブを緩めた場合であっても、ドラグレバーのガタツキや脱落を防止することを可能とした魚釣用リールを提供することを課題とする。
【課題を解決するための手段】
【０００８】
このような課題を解決する請求項１に係る発明は、左右の側板を有するリール本体と、前記左右の側板間に回転自在に軸支されたスプールと、前記スプールの一方の側面と一方の前記側板との間に設けられたドラグディスクと、前記リール本体の一側の外面に沿って、前後方向に回動可能に取り付けられたドラグレバーと、前記ドラグレバーの基部外側に設けられた微調節用ノブと、前記一方の側板に形成された円筒状の支持部と、を備える魚釣用リールであって、前記ドラグレバーの基部には、前記一方の側板側の面に円筒状のスカート部が形成されているとともに、前記一方の側板と反対側の面に凹部が形成されており、前記スカート部に前記支持部を内挿するとともに、前記スカート部の内周面が前記支持部の外周面に摺接していて、前記スカート部と前記支持部との間には環状の弾性部材が介設されており、前記支持部の中心部には一方に突出する円筒状の凸部が形成されていて、前記ドラグレバーは、前記凹部内で、前記ドラグレバーの基部を貫通した前記凸部に、抜け止め部材を介して軸方向での移動が不能に取り付けられていることを特徴としている。
【０００９】
この魚釣用リールによれば、ドラグレバーの回動操作または微調節用ノブの回転操作により、スプール回転に付与される制動力を調節することができる魚釣用リールについて、ドラグレバーのスプール軸に沿った移動が規制（阻止）されているため、微調整用ノブを緩めてもドラグレバーにガタツキが生じることがなく、また、脱落することもない。
【００１１】
この魚釣用リールによれば、ドラグレバーのスカート部と支持部とが嵌合されて、ドラグレバーの支持状態が安定する。
【００１３】
この魚釣用リールによれば、魚釣用リールの防水性が向上する。
【発明の効果】
【００１４】
請求項１に記載の魚釣用リールによれば、ドラグレバーのガタツキが防止されるため、スプール回転の弱制動領域（微調整用ノブを緩めた状態）においても、ドラグレバーの回動操作をスムーズに行うことができ、操作性に優れている。また、ドラグレバーの脱落も防止されているため、魚釣用リールのメンテナンス作業を容易に行うことができる。
【００１５】
また、ドラグレバーの回動支持状態が安定し、精密感のよい回動操作を行うことが可能である。
【００１６】
さらに、防水性が向上することにより、優れた性能を維持しやすくなり、メンテナンスに要する手間の低減化が可能となる。
【図面の簡単な説明】
【００１７】
【図１】本発明の実施の形態に係る魚釣用リールの構成を示す断面図である。
【図２】図１の魚釣用リールの側面図である。
【図３】同魚釣用リールの一部を示す拡大断面図である。
【図４】同魚釣用リールの分解断面図である。
【図５】魚釣用リールの変形例を示す拡大断面図である。
【発明を実施するための形態】
【００１８】
以下、本発明に係る魚釣用リールの実施の形態について図面を参照しながら説明する。
なお、以下の説明において、「左右」は図１に示す方向、「前後」は図２に示す方向で統一するものとする。
【００１９】
本実施形態に係る魚釣用リールＲは、図１に示すように、リール本体１と、スプール２と、ハンドル３と、ドラグディスク４と、ドラグレバー５と、微調整用ノブ６３と、を備えている。
【００２０】
リール本体１は、右側板１１および左側板１２（左右の側板）を有している。
右側板１１と左側板１２との間には、スプール２が配設されており、右側板１１および左側板１２は、スプール２を回転自在に支持するスプール軸２１を軸方向移動可能に支持している。
【００２１】
右側板１１には、図２に示すように、スプール２を回転駆動するためのハンドル３とスプール２の回転に制動力を付与するドラグレバー５が外面に設置されている。
また、右側板１１には、ドラグレバー５の回動範囲の前後に、ストッパＳ１，Ｓ２がそれぞれ突設されている。
【００２２】
図１に示すように、右側板１１は、フレーム１１ａとこのフレーム１１ａを覆うように取り付けられたカバー１１ｂとを備えている。
フレーム１１ａとカバー１１ｂとの間には空間が形成されており、この空間には、ハンドル３の回転駆動力をスプール２に伝達するための動力伝達機構３０が設けられている。
【００２３】
図３に示すように、右側板１１の外面には、ドラグレバー５の取付部としての支持部１３が形成されている。支持部１３の中心部には、スプール軸２１を貫通させる貫通孔が形成されている。
【００２４】
支持部１３は、右側板１１から一方（右側）に突出した円筒状の部分である。
この支持部１３の中心部には、さらに一方（右側）に突出する円筒状の凸部１４が形成されている。
【００２５】
本実施形態では、支持部１３をドラグレバー５のスカート部５３に挿入することで、つまり、スカート部５３が支持部１３の外周面を覆うように嵌まり込むことで、支持部１３に対してドラグレバー５を回動可能に嵌合させて、ドラグレバー５の支持状態を向上させている。
【００２６】
支持部１３の外面とスカート部５３の内壁面との間には、これらの周方向に沿う環状の弾性部材１５が介設されている。弾性部材１５は、支持部１３の外面に形成された環状の溝１３ａに配設されており、溝１３ａから突出した部分がスカート部５３の内壁面に当接している。
なお、弾性部材１５の固定方法は限定されるものではなく、適宜設定すればよい。また、弾性部材１５は、スカート部５３の内壁面に固定されていてもよい。
【００２７】
支持部１３の内部には、軸受１３ｂが配設されており、右側板１１を貫通して配設されたスプール軸２１に嵌合する高速ピニオンギヤ２４を回転可能に支持している。
【００２８】
凸部１４は、ドラグレバー５の基部５２に固定されたカム部材６１および微調整用ノブ６３に保持されたスライド部材６２の中心部を貫通している。
【００２９】
凸部１４には、カム部材６１の右側（スライド部材６２側）面との角部に沿って抜け止め部材７を配設するための環状の溝１４ａが形成されている。溝１４ａは、抜け止め部材７の直径（高さ寸法）の半分程度の深さで形成されており、溝１４ａに抜け止め部材７を配設した状態で、抜け止め部材７の一部が突出するように構成されている。この抜け止め部材７の突出した部分により、凸部１４の外周面に段差が形成されて、カム部材６１の軸方向の移動を規制するようになっている。
なお、溝１４ａの形状寸法は限定されるものではなく適宜設定すればよい。また、溝１４ａは必要に応じて形成すればよく、抜け止め部材７の固定方法によっては省略することも可能である。
【００３０】
スプール２は、釣糸が巻き回される部材であって、図１に示すように、軸受２２，２３を介して右側板１１および左側板１２に横架されたスプール軸２１に回転可能に支持されている。これにより、スプール２は、動力伝達機構３０およびドラグディスク４とライニング材２ａの摩擦結合力によって、回転することが可能に配設されている。
【００３１】
スプール２の一方の側面（右側のフランジ）には、図３に示すように、ライニング材２ａが設置されている。このため、ドラグレバー５や微調整用ノブ６３の操作によりスプール２が右側板１１側に移動した際に、ドラグディスク４に当該ライニング材２ａが接触するように構成されている。
【００３２】
スプール軸２１の一方の端部（右端部）は、右側板１１を貫通するとともに、右側板１１に設置された軸受１３ｂにより支持されている。また、スプール軸２１の他方の端部（左端部）は、左側板１２（図１参照）に回り止めされた状態で軸方向移動可能に支持されている。
なお、スプール軸２１の支持方法は限定されるものではない。
【００３３】
スプール軸２１の一方の端部には、雄ネジ加工が施されており、微調整用ノブ６３の筒部６３ｂ（図４参照）にねじ込むこと（螺入すること）が可能に構成されている。
【００３４】
スプール軸２１の一方の端部には、図１に示すように、高速ピニオンギヤ２４と低速ピニオンギヤ２５とが並設されており、それぞれ変速装置３１の高速ギヤ３２および低速ギヤ３３と噛合している。なお、高速ピニオンギヤ２４よりも大径の低速ピニオンギヤ２５は、高速ピニオンギヤ２４の外周に回り止め嵌合されている。
【００３５】
スプール軸２１の他方の端部には、ピン２６が固定されている。
ピン２６と軸受け２２との間には、ワッシャバネ２７が設けられており、ワッシャバネ２７および軸受け２２は、スプール軸２１とともに軸方向に移動可能とされている。
【００３６】
ピン２６は、スプール軸２１が右側板１１側に移動した際にスプール軸２１とともに移動する。そして、スプール２の段部２ｂに当接する軸受け２２を、ワッシャバネ２７を介して右側板１１方向に付勢して、スプール２（ライニング材２ａ）をドラグディスク４に当接させる。
【００３７】
ハンドル３は、図１に示すように、右側板１１の外面に沿って回転可能に配設されている。
ハンドル３には、動力伝達機構３０に連動しており、ハンドル３の回転駆動力がスプール２に伝達するように構成されている。
【００３８】
動力伝達機構３０には、ハンドル３の回転操作を、高速巻取り状態／低速巻取り状態に切り換える変速装置３１が組み込まれている。
【００３９】
変速装置３１は、高速ギヤ３２と低速ギヤ３３を回転可能に支持した筒状のハンドル軸３４と、ハンドル軸３４の内部空間に収容され、軸方向での移動が可能に配設された切換シャフト３５と、切換シャフト３５の軸方向の移動により高速ギヤ３２と低速ギヤ３３に選択的に係合する移動コマ３６と、を有している。
【００４０】
ハンドル軸３４は、カバー１１ｂに対して、軸受け３７，３７を介して回転可能に支持されるとともに、カバー１１ｂとの間に設置された逆転防止装置（ワンウェイクラッチ）３８により、釣糸の巻き取り方向にのみ回転できるように構成されている。
【００４１】
ハンドル軸３４の一方の端部（右端部）には、ハンドル３の基端部３ａが外嵌されており、ハンドル３は、ハンドル軸３４の開口端に螺着されたナット部材３ｂにより、基端部３ａがハンドル軸３４に固定されている。このため、ハンドル３の回転操作によりハンドル軸３４を回転させるとともに、スプール２に回転駆動力を付与することができる。
【００４２】
ドラグディスク４は、図１に示すように、スプール２の右側（一方）の側面と右側板１１との間に設けられており、スプール２が右側板１１方向（右側）に移動した際に、スプール２の側面に設けられたライニング材２ａと接触して、スプール２の回転に制動力を付与する。
ドラグディスク４は、右側板１１の他方の面（左側面）に沿って配設されており、支持部材４０により支持されている。
【００４３】
支持部材４０は、軸受保持部４１に設けられた軸受け４２を介して、スプール軸２１で回転可能に支持されており、この軸受け４２と軸受け２３との間には、圧縮バネ４３が介設されている。
軸受け２３は、スプール軸２１とともに軸方向に移動可能とされており、軸受け２３は、圧縮バネ４３により、スプール２の段部２ｂとスプール軸２１の段部２１ａとに突き当てられている。
【００４４】
圧縮バネ４３により付勢された軸受け２３は、スプール軸２１が左側板１２側に移動した際に、スプール２を左側板１２側に移動させて、スプール２（ライニング材２ａ）とドラグディスク４との間に隙間を形成する。
【００４５】
また、圧縮バネ４３は、軸受け４２、軸受保持部４１、低速ピニオンギヤ２５、高速ピニオンギヤ２４および軸受け１３ｂを、右方向（一方）に付勢している。
【００４６】
ドラグレバー５は、図２に示すように、右側板１１の外面に沿って配設されているとともに、スプール軸２１の軸心を中心に前後方向への回動が可能に取り付けられている。
ドラグレバー５の回動方向の前後には、前記したようにストッパＳ１，Ｓ２が配設されており、ドラグレバー５の回動が、所定の位置に静止されるように構成されている。
【００４７】
ドラグレバー５は、図３に示すように、操作部５１と基部５２とを備えて構成されている。
本実施形態では、ドラグレバー５を樹脂により構成するが、ドラグレバー５の材質は限定されるものではない。
【００４８】
操作部５１は、ドラグレバー５を前後方向に回動させる際に使用するつまみ部分である。操作部５１には、右側板１１の側面（左側面）に対向するようにしてカラー５４が圧入固定（突設）されている。
【００４９】
カラー５４は、樹脂等により構成されていて、頭部が露出した状態で、操作部５１に形成された固定穴に埋め込まれている。このカラー５４の頭部と、右側板１１との間には、わずかな隙間（０．２〜０．０５ｍｍ程度）が形成されている。
【００５０】
カラー５４がドラグレバー５から突出して対向する右側板１１との間にわずかな隙間を形成していることにより、スプール２から繰り出された釣糸や巻取り時にフケた釣糸がドラグレバー５とリール本体１との間に入り込んで絡まることが防止されている。
【００５１】
図３に示すように、基部５２の左側面（右側板１１側の面）には、右側板１１に形成された支持部１３の外周面を覆う円筒状のスカート部５３が形成されている。
【００５２】
ドラグレバー５は、スカート部５３に右側板１１の支持部１３を挿入した状態で設置されている。このとき、スカート部５３の内壁面は、支持部１３の外面に周設された弾性部材１５に摺接している。
【００５３】
基部５２の右側面（右側板１１と反対側の面）には、凹部５５が形成されている。この凹部５５には、後記するドラグ機構６のカム部材６１が配設されている。
基部５２（凹部５５）の中央には、多角形状（本実施形態では六角形）の開口５５ａが形成されており、カム部材６１に形成された嵌合部６１ａと回り止め嵌合されている。
【００５４】
また、開口５５ａにカム部材６１の嵌合部６１ａが挿入されるとともに、カム部材６１の係止部６１ｂが凹部５５の底部５５ｂに係止されている。したがって、カム部材６１が抜け止め部材７により軸方向の移動が規制されることで、カム部材６１と係合するドラグレバー５の軸方向の移動が規制される。
【００５５】
ドラグ機構６は、図３に示すように、ドラグレバー５の操作方向に応じてスプール軸２１を軸方向に進退移動させるカム機構６０を備えている。
【００５６】
カム機構６０は、図４に示すように、ドラグレバー５の基部５２と一体で回動するカム部材６１と、カム部材６１の回動によりスプール軸２１の軸方向に進退移動（スライド）するスライド部材６２と、スプール軸２１の一端に螺着された微調整用ノブ６３と、スライド部材６２をカム部材６１側に付勢するスプリング６４と、を備えて構成されている。
【００５７】
カム部材６１は、カム機構６０が組み立てられた状態（図３参照）において、ドラグレバー５の基部５２の凹部５５内に配設されている。カム部材６１には、凹部５５の開口５５ａの形状に応じた多角形状（本実施形態では六角形）の嵌合部６１ａが形成されていて、この嵌合部６１ａを開口５５ａに挿入することで、カム部材６１は基部５２に回り止め嵌合されている。
【００５８】
カム部材６１は、スライド部材６２側に延びるカム部６１ｃを有している。カム部６１ｃでは、カム部材６１の直径線に沿って溝が形成されており、スライド部材６２の突起６２ｂが当接するカム面６１ｄは、溝から反時計回り方向に離れるにつれて基準面Ｔからの離隔距離が大きくなるように傾斜している。
【００５９】
カム部材６１は、凸部１４に固定された抜け止め防止部材７により、スプール軸２１の軸方向に沿った移動が規制されており、凸部１４からの抜け出すことがないように構成されている。
【００６０】
スライド部材６２の中心部には、多角形状（本実施形態では六角形）の開口６２ａが形成されており、カム部材６１を貫通したスプール軸２１と凸部１４とが挿通されている。スライド部材６２の開口６２ａは、多角形状（本実施形態では六角形）の凸部１４に回り止め嵌合されている。また、スライド部材６２は、スプール軸２１の軸方向に沿って移動可能に設けられている。
【００６１】
スライド部材６２には、突起部６２ｂがカム部材６１の溝と整合する位置に形成されており、この突起部６２ｂをカム部材６１のカム面６１ｄに当接させた状態で設置されている。
【００６２】
スライド部材６２の外面（微調整用ノブ６３側の面）６２ｆの周縁には、微調整用ノブ６３側に突出する筒状の周壁部６２ｃが形成されている。
周壁部６２ｃの外周面には、周方向に沿って溝６２ｄが形成されており、当該溝６２ｄにはＯリング６２ｅが配設されている。
【００６３】
このようなカム機構６０が組み立てられると、図３に示すように、基部５２の凹部５５の内壁面にＯリング６２ｅが当接した状態でスライド部材６２が配設される。
また、外面６２ｆには、微調整用ノブ６３の筒部６３ｂの先端面が当接する。
【００６４】
微調整用ノブ６３は、図４に示すように、ノブ本体６３ａと筒部６３ｂとを備えて形成されている。
【００６５】
ノブ本体６３ａの周縁には、他方側（スライド部材６２側）に立設された筒状の周壁６３ｃが形成されており、突起部６２ｂの一部とスプリング６４の外面を覆うように構成されている。
【００６６】
筒部６３ｂは、ノブ本体６３ａの他方側の面（スライド部材６２側の面）の中央部から突設された筒状部分であって、内面に雌ネジ加工が施されている。
微調整用ノブ６３は、スプール軸２１の一方の端部を、筒部６３ｂに螺入することで、スプール軸２１に固定される。
【００６７】
スプリング６４は、スライド部材６２と微調整用ノブ６３との間に介設されており、スライド部材６２はスプリング６４により他方側（カム部材６２側）に付勢されている。
【００６８】
このようなドラグ機構６によれば、ドラグレバー５の時計回り方向に回動させると、これに連動してカム部材６１が回転するため、カム面６１ｄと突起６２ｂとの当接位置が基準面Ｔから離れて、スライド部材６２は一方向（図３において右方向）に移動する。
【００６９】
スライド部材６２が一方向に移動すると、これに連動して微調整用ノブ６３が一方に移動するため、微調整用ノブ６３に螺入されたスプール軸２１も一方向に移動する。
これにより、スプール軸２１に固定されたピン２６が、ワッシャバネ２７と軸受け２２とスプール２と、軸受け２３とを、一方向に移動させて、スプール２のライニング材２ａをドラグディスク４に当接させる（図１参照）。
【００７０】
このように、ドラグレバー５の時計回りの操作量が大きくなるほど、スプール２がドラグディスク４に大きな力で当接させられるので、スプール２の回転に付与される制動力が大きくなる。そして、ドラグレバー５がストッパＳ１に当接するまで回動させると、スプール２の釣糸繰り出し方向の回転が阻止された状態（ドラグ力最大状態）となる。
【００７１】
一方、ドラグレバー５を反時計回りに回動させると、これに連動してカム部材６１が反時計回りに回動するため、カム面６１ｄと突起部６２ｂとの当接位置が基準面Ｔに近づいて、スプリング６４により付勢されているスライド部材６２は他方向（図３において左方向）に移動する。
【００７２】
スライド部材６２が他方向に移動すると、これに連動して微調整用ノブ６３も他方に移動するため、微調整用ノブ６３に螺入されたスプール軸２１も他方向に移動する。これにともないスプール２も他方向（ドラグディスク４と離れる方向）に移動させられる。
【００７３】
このように、ドラグレバー５の反時計回りの操作量が大きくなるほど、スプール２の回転に付与される制動力が小さくなり、ドラグレバー５がストッパＳ２に当接するまで回動させると、スプール２の回転が完全に許容された状態（ドラグ力が作用しないスプールフリー状態）になる。
【００７４】
また、微調整用ノブ６３を回転させて、スプール軸２１への締め込み量を調整すれば、スプール軸２１の軸方向位置の微調整が可能である。これにより、ドラグ力の調節範囲の基準値を変更することができる。
【００７５】
抜け止め部材７は、図３および図４に示すように、凸部１４の外周面に形成された溝１４ａに配設されたＣリングであって、溝１４ａから一部が突出した状態で配設されている。
【００７６】
抜け止め部材７は、その突出部分が、カム部材６１の一方の面に係止していることで、カム部材６１の凸部１４からの抜け出しを防止している。つまり、抜け止め部材７により、カム部材６１の軸方向の移動が不能となっている。
【００７７】
以上、魚釣用リールＲによれば、カム部材６１のスプール軸２１の軸方向での移動が抜け止め防止部材７により規制されているため、微調整用ノブ６３をスプール軸２１から取り外した場合であってもカム部材６１およびカム部材６１と係合されたドラグレバー５が抜け出すことがない。
そのため、メンテナンス時等においてカム部材６１やドラグレバー５を紛失するおそれがない。そのため、メンテナンス作業を容易に行うことができる。
【００７８】
また、ドラグレバー５は、スカート部５３により支持部１３と嵌合しているため、ドラグレバーの支持状態が安定して操作性に優れており、精密感のよい回動操作が可能となる。
【００７９】
また、ドラグレバー５は、軸方向の移動が規制されているとともに支持部１３と嵌合しているため、ガタツキが防止され、スプール回転の弱制動領域（微調整用ノブを緩めた状態）においても、ドラグレバー５の回動操作をスムーズに行うことができ、操作性に優れている。
【００８０】
スカート部５３の内壁面と支持部１３の外面との間には弾性部材１５が介設されていることで、防水性に優れている。そのため、ドラグレバー５と支持部１３との隙間から水や埃等が入り込むことが抑制されるため、メンテナンスの頻度を少なくすることが可能となる。
【００８１】
以上、本発明について、好適な実施形態について説明した。しかし、本発明は、前述の実施形態に限られず、前記の各構成要素については、本発明の趣旨を逸脱しない範囲で、適宜変更が可能であることは言うまでもない。
【００８２】
例えば、図５に示すように、ドラグレバー５にカム部材６１が一体に形成されていてもよい。つまり、ドラグレバー５の一方の面（微調整用ノブ６３側の面）にスライド部材６２側に延びるカム部６１ｃが形成されていることで、ドラグレバー５の基部５２が、スライド部材６２、微調整用ノブ６３およびスプリング６４とともにカム機構６１を構成していてもよい。
かかる構成によれば、部品点数を少なくすることで、組み立て時の手間や、メンテナンス時の手間を省略することが可能となる。
【００８３】
なお、ドラグレバー５の形状や材質は限定されるものではなく、適宜設定することが可能である。
【００８４】
また、前記実施形態では、抜け止め防止部材７をＣリングにより構成することで、取り外し可能とし、必要に応じてドラグレバー５やカム部材６１を取り外すことが可能な構成としたが、抜け止め防止部材７の構成は限定されるものではなく、ドラグレバー５（カム部材６１）の軸方向の移動を規制することが可能であれば、例えばＯリングにより構成するなど、適宜設定することが可能である。
【符号の説明】
【００８５】
１    リール本体
１１  右側板（一方の側板）
１２  左側板
１３  支持部
１４  凸部
１５  弾性部材
２    スプール
２１  スプール軸
３    ハンドル
４    ドラグディスク
５    ドラグレバー
５２  基部
５３  スカート部
６    ドラグ機構
６３  微調節用ノブ
７    抜け止め部材
Ｒ    魚釣用リール
【図１】
0005480693.tif 000002
【図２】
0005480693.tif 000003
【図３】
0005480693.tif 000004
【図４】
0005480693.tif 000005
【図５】
0005480693.tif 000006